(57)【要約】【課題】外被体を部材間で圧接することなく、外被体のめくれ上がりを効果的に防止することで、快適な把持感を長期的に持続し得る筆記具を提供する。【解決手段】軸筒２０と、前記軸筒２０の把持部を覆う略円筒状の外被体３０と、前記外被体３０の端部を前記軸筒２０との間で固定する固定部材４０とを備えた筆記具１０であって、前記外被体３０の端部には、遠位側に位置し比較的断面肉厚の厚肉部３１と、この厚肉部３１に対し近位側に位置し比較的断面肉薄の薄肉部３４とが形成され、前記軸筒２０と前記固定部材４０との間で前記外被体３０の端部が位置する空間には、前記厚肉部３１が位置する比較的断面幅広の間隙である幅広部５０と、前記薄肉部３４が位置する比較的断面幅狭の間隙である幅狭部５５とが設けられている。【選択図】  図９
2005007585.tif 000002
【特許請求の範囲】
【請求項１】
軸筒と、
前記軸筒の把持部を覆う略円筒状の外被体と、
前記外被体の端部を前記軸筒との間で固定する固定部材とを備えた筆記具であって、
前記外被体の端部には、遠位側に位置し比較的断面肉厚の厚肉部と、この厚肉部に対し近位側に位置し比較的断面肉薄の薄肉部とが形成され、
前記軸筒と前記固定部材との間で前記外被体の端部が位置する空間には、前記厚肉部が位置する比較的断面幅広の間隙である幅広部と、前記薄肉部が位置する比較的断面幅狭の間隙である幅狭部とが設けられていることを特徴とする筆記具。
【請求項２】
前記厚肉部および薄肉部は、前記外被体の両端に設けられるとともに、
前記幅広部および幅狭部は、前記外被体の両端に対応して設けられ、
前記固定部材は、前記外被体を両端で固定することを特徴とする請求項１記載の筆記具。
【請求項３】
前記軸筒外周には外方に突出した固定突起が設けられるとともに、
前記幅広部および幅狭部は、前記固定突起と前記固定部材との間に設けられることを特徴とする請求項１又は２記載の筆記具。
【請求項４】
前記外被体内側における前記薄肉部の近位側には、内方へ環状に突出したシール部が設けられるとともに、
前記外被体が前記固定部材により固定される際に、前記固定突起は、前記シール部と前記幅狭部との間に位置することを特徴とする請求項３記載の筆記具。
【請求項５】
前記固定突起は、複数個に分割されているとともに、
前記シール部には前記固定突起の位置に対応した嵌凹部が設けられ、
前記外被体が前記固定部材により固定される際に、前記分割された固定突起はそれぞれ、嵌凹部に嵌り込むことを特徴とする請求項４記載の筆記具。
【請求項６】
前記固定突起の前記遠位側には、同遠位方向に縮径するテーパー面が形成されていることを特徴とする請求項３、４又は５記載の筆記具。
【請求項７】
前記固定部材は、環状に形成されているとともに、
同固定部材は、前記外被体を固定する際、軸筒に対し固着されることを特徴とする請求項１、２、３、４、５又は６記載の筆記具。
【請求項８】
前記厚肉部の肉厚は、前記幅広部の幅以下であるとともに、
前記薄肉部の肉厚は、前記幅狭部の幅以下であることを特徴とする請求項１、２、３、４、５、６又は７記載の筆記具。
【請求項９】
前記固定部材近位側の内側面と前記外被体遠位端の外側面とが接触するとともに、
前記内側面および前記外側面は、遠位方向に縮径するテーパー面となっていることを特徴とする請求項１、２、３、４、５、６、７又は８記載の筆記具。
【請求項１０】
前記外被体と前記軸筒との間には、気体若しくは液体又はゲル状物質若しくはゼリー状物質が位置していることを特徴とする請求項１、２、３、４、５、６、７、８又は９記載の筆記具。
【発明の詳細な説明】
【０００１】
【発明の属する技術分野】
本発明は、軸筒の把持部に滑り止め等を目的とする外被体を備えた筆記具に関する。
【０００２】
【従来の技術】
従来、滑り止めや持ちやすさの向上を目的として、軸筒とは材質を異にする外被体を把持部に備えた筆記具が多々提供されている。
筆記具の軸筒は、通常、比較的硬質の樹脂や金属等で成型されることが多いが、このような軸筒に対して外被体は、比較的軟質で弾性に富む材質が用いられることが多い。すなわち、軸筒と外被体とは異なる材質で形成されているため、使用中にズレたりめくれたり、また、外被体が軸筒に対して回転したりすることがある。
【０００３】
これを防止するため、下記の特許文献１に示す従来技術のように、外被体の一部を軸筒と口金等の先部材とで圧接して挟持するということが提案されている。
【０００４】
【特許文献１】
特開２０００−３３５１６８号公報
【０００５】
【発明が解決しようとする課題】
上記従来技術では、外被体の先端が軸筒と先部材との間で圧接されているため、その圧接されている外被体の部分が軸筒と先部材との間から脱出する可能性がある。そのような場合外被体がめくれ上がることが想定される。
そこで、本発明は、外被体を部材間で圧接することなく、外被体のめくれ上がりを効果的に防止することで、快適な把持感を長期的に持続し得る筆記具の提供を第１の課題とする。
【０００６】
また、本発明は、上記第１の課題に加え、外被体のめくれ上がりをその両端で防止することを第２の課題とする。
さらに、本発明は、上記第１又は第２の課題に加え、外被体と軸筒との固定の確実を期することを第３の課題とする。
また、本発明は、上記第３の課題に加え、外被体と軸筒との密着を図ることを第４の課題とする。
【０００７】
さらに、本発明は、上記第４の課題に加え、外被体が軸筒に対して回転するのを確実に防止することを第５の課題とする。
また、本発明は、上記第３、第４又は第５の課題に加え、軸筒への外被体の取り付けをスムーズに実行できるようにすることを第６の課題とする。
さらに、本発明は、上記第１から第６までのいずれかの課題に加え、通常の使用状態では外被体を取り外すことを不可能とすることを第７の課題とする。
【０００８】
また、本発明は、上記第１から第７までのいずれかの課題に加え、外被体のねじれを防止することを第８の課題とする。
さらに、本発明は、上記第１から第８までのいずれかの課題に加え、外被体を押しつぶすことなく固定することを第９の課題とする。
また、本発明は、上記第１から第９までのいずれかの課題に加え、筆記具使用時の疲労感の低減を第１０の課題とする。
【０００９】
【課題を解決するための手段】
（１）第１の発明
前記第１の課題に鑑み、本発明のうちの第１の発明は、軸筒２０と、前記軸筒２０の把持部を覆う略円筒状の外被体３０と、前記外被体３０の端部を前記軸筒２０との間で固定する固定部材４０とを備えた筆記具１０であって、前記外被体３０の端部には、遠位側に位置し比較的断面肉厚の厚肉部３１と、この厚肉部３１に対し近位側に位置し比較的断面肉薄の薄肉部３４とが形成され、前記軸筒２０と前記固定部材４０との間で前記外被体３０の端部が位置する空間には、前記厚肉部３１が位置する比較的断面幅広の間隙である幅広部５０と、前記薄肉部３４が位置する比較的断面幅狭の間隙である幅狭部５５とが設けられていることを特徴とする。
【００１０】
本発明においては、方向を表す目的で「近位」及び「遠位」なる用語を使用するが、その定義は、次の通りである。すなわち、本発明に係る筆記具１０の構成要素である外被体３０の重心を基準とし、これに近い方向を「近位」とし、また、遠い方向を「遠位」とする。
「軸筒２０」とは、筆記具１０の本体をなす軸部分をいい、筆記具１０の構造部分（たとえば、ボールペンの場合にはインクリフィールなどであり、また、シャープペンシルの場合には芯送り出し機構などである。）を収容するものである。この軸筒２０は、内部の構造部分を保護すべく、通常、比較的硬質の樹脂や、金属等、ある程度剛性を有する材質で形成されることとなっている。
【００１１】
「外被体３０」とは、軸筒２０において、筆記する際に通常把持する部分を被覆する構造をいう。この外被体３０は、上記軸筒２０より弾性に富む材質、たとえばシリコーンゴムにより形成されることが望ましい。
外被体３０の「端部」とは、外被体３０の両端部分のうちの一方又は両方をいう。この外被体３０の端部には、遠位側に位置し比較的断面肉厚の厚肉部３１と、この厚肉部３１に対し近位側に位置し比較的断面肉薄の薄肉部３４とが形成されている。ここで「比較的」というのは、厚肉部３１と薄肉部３４との比較を意味している。たとえば、外被体３０の縁が環状に肥厚しているとともに、この肥厚している部分の近位側は溝状に肉薄になっているような構成が可能である。
【００１２】
「固定部材４０」とは、外被体３０を軸筒２０に固定する部材をいう。
たとえば、外被体３０の端部が筆記具１０の先端側である場合には、軸筒２０と筆記先端１３との間に介在する口金４１をこの固定部材４０とすることができる。また、この口金４１と軸筒２０との間にさらにリング状の固定部材４０を設け、これにより、外被体３０と軸筒２０とを固定することも可能である。
【００１３】
一方、外被体３０の端部が筆記具１０の後端側である場合には、以下のような構成が可能である。すなわち、軸筒２０を、その前半部分を構成する先軸と、後半部分を構成する後軸４２との２部材とが螺合して成るような構造とする。そして、この先軸部分に外被体３０を装着してから後軸４２を螺合する。すなわち、この後軸４２を固定部材４０とすることができる。また、この先軸と後軸４２との間にリング状の固定部材４０を設け、これにより、外被体３０と軸筒２０とを固定することも可能である。
【００１４】
軸筒２０と固定部材４０との間の空間には外被体３０の端部が位置することとなる。そして、外被体３０端部の遠位側に位置する厚肉部３１の位置する空間は、軸筒２０と固定部材４０との距離が比較的長い「幅広部５０」となっている。一方、この厚肉部３１より近位側に位置する薄肉部３４の位置する空間は、軸筒２０と固定部材４０との距離が比較的短い「幅狭部５５」となっている。
【００１５】
ここで、外被体３０の端部が軸筒２０と固定部材４０とにより固定された状態において、この外被体３０の端部に近位方向の力が架かった場合を想定する。この場合、外被体３０端部の厚肉部３１には、それが位置する幅広部５０から近位方向へ脱しようとする力が架かる。ところが、この幅広部５０の近位方向には幅狭部５５があり、厚肉部３１はこれを通過することができない。
【００１６】
すなわち、外被体３０の端部は、軸筒２０と固定部材４０との間で、厚肉部３１と薄肉部３４との肉厚の差を利用してくさび状に固定されることとなっていて、軸筒２０と固定部材４０との間での圧接は不要となっている。これにより、近位方向への抜けが防止されることで、外被体３０のめくれ上がりが効果的に防止されることとなっている。外被体３０を軸筒２０と固定部材４０との間で圧接する必要もないため、外被体３０の破損の可能性も低減することとなる。
【００１７】
（２）第２の発明
前記第２の課題に鑑み、本発明のうちの第２の発明は、前記第１の発明の特徴に加え、前記厚肉部３１および薄肉部３４は、前記外被体３０の両端に設けられるとともに、前記幅広部５０および幅狭部５５は、前記外被体３０の両端に対応して設けられ、前記固定部材４０は、前記外被体３０を両端で固定することを特徴とする。
【００１８】
すなわち、この第２の発明においては、外被体３０の両端が前記第１の発明の通りに固定されることとなっている。すなわち、前記固定部材４０は、外被体３０の両端にそれぞれ対応して設けられる。
これによって、外被体３０のめくれ上がりをその両端で防止することが可能となっている。
【００１９】
（３）第３の発明
前記第３の課題に鑑み、本発明のうちの第３の発明は、前記第１又は第２の発明の特徴に加え、前記軸筒２０外周には外方に突出した固定突起２１が設けられるとともに、前記幅広部５０および幅狭部５５は、前記固定突起２１と前記固定部材４０との間に設けられることを特徴とする。
【００２０】
「固定突起２１」とは、外被体３０の端部の固定の用に供するために設けられる、軸筒２０の構造である。すなわち、この固定突起２１と固定部材４０との間で、外被体３０の端部が固定されることとなる。この固定突起２１の具体的な形状については特に限定はない。たとえば、軸筒２０外周に環状に突出した構造としてもよい。また、このような環状の構造を複数個に分割して、複数個の突起として設けることとしてもよい。
【００２１】
この固定突起２１を軸筒２０側に設けることで、外被体３０と軸筒２０との固定の確実を期することが可能となっている。
（４）第４の発明
前記第４の課題に鑑み、本発明のうちの第４の発明は、前記第３の発明の特徴に加え、前記外被体３０内側における前記薄肉部３４の近位側には、内方へ環状に突出したシール部３７が設けられるとともに、前記外被体３０が前記固定部材４０により固定される際に、前記固定突起２１は、前記シール部３７と前記幅狭部５５との間に位置することを特徴とする。
【００２２】
「シール部３７」は、外被体３０を軸筒２０に密着させる構造である。たとえば、外被体３０と軸筒２０との間に緩衝目的でゲル状物質１４を注入するような場合には、このシール部３７により、そのゲル状物質１４の漏出の可能性が低減される。
また、外被体３０のこのシール部３７と幅狭部５５とによって固定突起２１が挟まれることで、外被体３０と軸筒２０との固定がより確実ともなっている。
【００２３】
（５）第５の発明
前記第５の課題に鑑み、本発明のうちの第５の発明は、前記第４の発明の特徴に加え、前記固定突起２１は、複数個に分割されているとともに、前記シール部３７には前記固定突起２１の位置に対応した嵌凹部３８が設けられ、前記外被体３０が前記固定部材４０により固定される際に、前記分割された固定突起２１はそれぞれ、嵌凹部３８に嵌り込むことを特徴とする。
【００２４】
すなわち、軸筒２０の固定突起２１は、複数個に分割されて設けられているとともに、シール部３７の嵌凹部３８に嵌り込むように形成されている。これにより、外被体３０が軸筒２０に対して回転方向にズレることが確実に防止されることとなっている。
（６）第６の発明
前記第６の課題に鑑み、本発明のうちの第６の発明は、前記第３、第４又は第５の発明の特徴に加え、前記固定突起２１の前記遠位側には、同遠位方向に縮径するテーパー面２２ａが形成されていることを特徴とする。
【００２５】
たとえば、少なくとも筆記具１０の先端側で外被体３０を固定する場合には、この固定突起２１には先端方向に縮径するテーパー面２２ａが設けられることとなる。そして、外被体３０を筆記具１０の先端方向から取り付ける場合に、前記固定突起２１はいわば先細りとなっているため、外被体３０を筆記具１０の後端方向に移動させるのを阻害しない。これにより、軸筒２０への外被体３０の取り付けがスムーズに実行できるようになっている。
【００２６】
（７）第７の発明
前記第７の課題に鑑み、本発明のうちの第７の発明は、前記第１から第６までのいずれかの発明の特徴に加え、前記固定部材４０は、環状に形成されているとともに、同固定部材４０は、前記外被体３０を固定する際、軸筒２０に対し固着されることを特徴とする。
【００２７】
ここでいう「固着」とは、その方法のいかんを問わないが、少なくとも螺着のように、事後に容易に脱着可能となるような方法は除外される。
このような環状の固定部材４０は、筆記具１０の先端側及び後端側のいずれか一方又は両方に装着可能である。
これにより、通常の使用状態では外被体３０を取り外すことは不可能となり、外被体３０のめくれ上がりの可能性が低減されることとなる。
【００２８】
（８）第８の発明
前記第８の課題に鑑み、本発明のうちの第８の発明は、前記第１から第７までのいずれかの発明の特徴に加え、前記厚肉部３１の肉厚は、前記幅広部５０の幅以下であるとともに、前記薄肉部５５の肉厚は、前記幅狭部５５の幅以下であることを特徴とする。
【００２９】
すなわち、外被体３０のうち、軸筒２０と固定部材４０との間に位置する部分の肉厚は、軸筒２０と固定部材４０と間の距離以下に形成される。したがって、外被体３０は、軸筒２０と固定部材４０とにより圧着されることはなくなる。すなわち、外被体３０への固定部材４０からのトルクの伝達防止により、外被体３０のねじれが防止できる。また、外被体３０自体の破損の可能性も低減されることとなる。
【００３０】
（９）第９の発明
前記第９の課題に鑑み、本発明のうちの第９の発明は、前記第１から第８までのいずれかの発明の特徴に加え、前記固定部材４０近位側の内側面と前記外被体３０遠位端の外側面とが接触するとともに、前記内側面および前記外側面は、遠位方向に縮径するテーパー面４１ａ，３２ａとなっていることを特徴とする。
【００３１】
これにより、固定部材４０の固定時に外被体３０が固定部材４０により潰れるのが防止されることとなっている。
（１０）第１０の発明
前記第１０の課題に鑑み、本発明のうちの第１０の発明は、前記第１から第９までのいずれかの発明の特徴に加え、前記外被体３０と前記軸筒２０との間には、気体若しくは液体又はゲル状物質若しくはゼリー状物質が位置していることを特徴とする。
【００３２】
このような気体若しくは液体又はゲル状物質若しくはゼリー状物質を、外被体３０と軸筒２０との間に設けることにより、柔らかい硬度で成形が可能になり、かつ、筆記具１０を把持した際に、指とグリップ部の接触面積が増加することで把持圧が適度に分散され、把持感の向上や長時間使用における疲労低減の効果を提供することが可能になる。また、使用後は速やかに元の形状に復元するため、たとえ使用者が代わってもこの疲労低減の効果は保たれることとなる。
【００３３】
なお、気体としては空気又は窒素その他の不活性ガスを用いることができる。また、液体としては、シリコーンオイルその他の油又は水を用いることができる。さらに、ゲル状物質又はゼリー状物質としては、シリコーンを原料としたものを用いることができる。
【００３４】
【発明の実施の形態】
以下、本発明の実施の形態を、図面を参照しつつ説明する。なお、以下の各説明においては、筆記具１０としてシャープペンシルを挙げているが、本発明の要旨とは直接関係のない機構部分の構造及び機能の詳細については説明を省略し、図面中にも符号は示さない。また、本発明に係る筆記具１０はシャープペンシルに限定されず、たとえばボールペンやマーカーペン等、様々な筆記具１０に本発明は適用可能であることは言うまでもない。
【００３５】
（１）第１の実施の形態
図１は、本発明の第１の実施の形態に係る筆記具１０を正面断面図で示したものである。
この筆記具１０は、前半部分を構成する軸筒２０と、後半部分を構成する後軸４２とを備える。
【００３６】
軸筒２０は外被体３０により覆われている。軸筒２０と外被体３０との間には、ゲル状物質１４が封入されている。軸筒２０の先端には、外被体３０の先端部を固定する固定部材４０としての口金４１が螺着されている。口金４１の先端には、この口金４１と一体に形成されている筆記先端１３が設けられている。一方、軸筒２０の後端には、外被体３０の後端部を固定する環状の固定部材４０としての後方止めリング４４が固着されている。後軸４２は、この後方止めリング４４に螺着されることで、間接的に軸筒２０に固定される。
【００３７】
筆記具１０後端には消しゴム１１が装着されており、この消しゴム１１はノックカバー１２で保護されている。このノックカバー１２をノックすることで、筆記先端１３から芯が繰り出される。
また、図２は、この筆記具１０の軸筒２０、外被体３０及び後方止めリング４４の構造を斜視図で示したものである。なお、外被体３０及び後方止めリング４４は断面も示している。
【００３８】
軸筒２０には、前方付近及び後方付近の外周からそれぞれ突出した固定突起２１が設けられている。前方付近の固定突起２１（前方固定突起２２）は周方向に４等分されている。この前方固定突起２２の前方外周面は、先端方向に縮径したテーパー面２２ａとなっている。一方、後方付近の固定突起２１（後方固定突起２３）は周方向に３等分されている。
【００３９】
外被体３０が軸筒２０に装着される際の抜け止め防止のための「くさび」として機能する厚肉部３１は、先端側（前方厚肉部３２）及び後端側（後方厚肉部３３）の両方にそれぞれ設けられている。この厚肉部３１より肉薄の薄肉部３４は、前方厚肉部３２の直後（前方薄肉部３５）及び後方厚肉部３３の直前（後方薄肉部３６）の両方にそれぞれ設けられている。前方薄肉部３５のさらに後方には、内方に突出した環状のシール部３７が設けられている。このシール部３７の前面側には、軸筒２０の前方固定突起２２の位置に対応した嵌凹部３８が嵌設されている。
【００４０】
後方止めリング４４は、外被体３０後端部分を覆う比較的大径な前半部４４ａと、後軸４２が螺着される比較的小径な後半部４４ｂとから成る。後半部４４ｂ外周面には、後軸４２が螺着されるためのネジ山が刻まれている。
上記外被体３０の後端から軸筒２０の先端を挿入し、さらに後方止めリング４４を装着した様子を斜視図で示したのが図３である。なお、同図では外被体３０及び後方止めリング４４は断面も示している。ここで、前方固定突起２２に、先端方向に縮径したテーパー面２２ａが形成されているため、外被体３０の後端から軸筒２０を挿入する際に前方突起が障害とならずにスムーズに挿入することが可能となっている。
【００４１】
なお、図３に示した組み付けの状態においては、軸筒２０と外被体３０との間にあるべきゲル状物質１４が省略されている。実際には、軸筒２０に外被体３０を装着した後、軸筒２０と外被体３０との間にできる後端側の間隙６０（図７参照）から注入ノズルを挿入し、ゲル状物質１４の原料物質を注入する。この注入の際は、先端方向を下向きにして行われるが、外被体３０先端付近のシール部３７により、原料物質の漏出が妨げられている。その後は、室温に放置するか、あるいは加温することにより硬化させる。
【００４２】
そして、このゲル状物質１４の注入及び硬化の後、後方止めリング４４が装着される。この状態を正面断面図で示したのが図４である。
図５は、図４をＡ−Ａ断面で示したものである。本図に示すように、前方固定突起２２は、嵌凹部３８に嵌入している。これにより、外被体３０は、先端部分で回転が防止されている。
【００４３】
図６は、図４をＢ−Ｂ断面で示したものである。また、図７は、図４をＣ−Ｃ断面で示したものである。この両図に示すように、軸筒２０の後方固定突起２３と外被体３０の後方厚肉部３３とは対応した位置関係にあるとともに、軸筒２０と外被体３０との間には、前記注入ノズルを挿入可能な間隙６０が形成されている。
図８は、本実施の形態に係る筆記具１０の前半部分を正面断面図で示したものである。外被体３０後端部の後方厚肉部３３は、軸筒２０と、固定部材４０としての後方止めリング４４との間に形成される空間のうち、より遠位の後端側で幅広の後方幅広部５２に位置している。一方、外被体３０後端部の後方薄肉部３６は、軸筒２０と後方止めリング４４との間に形成される空間のうち、より近位の先端側で幅狭の後方幅狭部５７に位置している。すなわち、外被体３０の後端部に前方への力が架かったとしても、後方厚肉部３３は後方幅狭部５７を通過できない。すなわち、後方厚肉部３３がくさびとして機能し、外被体３０の後端部のめくれ上がりが防止されることとなっている。
【００４４】
図９は、本実施の形態に係る筆記具１０の先端付近を正面断面図で示したものである。外被体３０先端部の前方厚肉部３２は、軸筒２０と、固定部材４０としての口金４１との間に形成される空間のうち、より遠位の先端側で幅広の前方幅広部５１に位置している。一方、外被体３０先端部の前方薄肉部３５は、軸筒２０と口金４１との間に形成される空間のうち、より近位の後端側で幅狭の前方幅狭部５６に位置している。すなわち、外被体３０の先端部に後方への力が架かったとしても、前方厚肉部３２は前方幅狭部５６を通過できない。すなわち、前方厚肉部３２がくさびとして機能し、外被体３０の先端部のめくれ上がりが防止されることとなっている。
【００４５】
また、前方固定突起２２の先端側の面はテーパー面２２ａとなっているため、先述したように外被体３０を軸筒２０の先端側から装着することが容易となっている。
さらに、外被体３０の前方厚肉部３２外側には、先端方向に縮径するテーパー面３２ａが設けられている。同時に、このテーパー面３２ａと接触する位置にある、固定部材４０としての口金４１内側にも先端方向に縮径するテーパー面４１ａが設けられている。すなわち、外被体３０と、固定部材４０としての口金４１との接触部が互いにテーパー面３２ａ，４１ａとなっているので、外被体３０が固定部材４０としての口金４１の装着の際に潰されないこととなっている。
【００４６】
（２）第２の実施の形態
図１０は、本発明の第２の実施の形態に係る筆記具１０の前半部分を正面断面図で示したものである。
この筆記具１０は、前半部分を構成する軸筒２０と、後半部分を構成する後軸４２とを備えるのは前記第１の実施の形態と同様である。また、図示しない筆記具１０後端の消しゴム１１及びノックカバー１２についても、並びに、軸筒２０の固定突起２１の構造並びに軸筒２０を覆う外被体３０の構造についても前記第１の実施の形態と同様である。さらに、軸筒２０と外被体３０との間に封入されるゲル状物質１４についても同様である。本第２の実施の形態が前記第１の実施の形態と相違する点は、以下の通りである。
【００４７】
すなわち、軸筒２０の先端には、外被体３０の先端部を固定する固定部材４０としての前方止めリング４３が固着される。口金４１は、この前方止めリング４３に螺着されることで、間接的に軸筒２０に固定される。一方、軸筒２０の後端には、外被体３０の後端部を固定する固定部材４０としての後軸４２が螺着されている。
本実施の形態では、外被体３０後端部の後方厚肉部３３は、軸筒２０と、固定部材４０としての後軸４２との間に形成される空間のうち、より遠位の後端側で幅広の後方幅広部５２に位置している。一方、外被体３０後端部の後方薄肉部３６は、軸筒２０と後軸４２との間に形成される空間のうち、より近位の先端側で幅狭の後方幅狭部５７に位置している。すなわち、外被体３０の後端部に前方への力が架かったとしても、後方厚肉部３３は後方幅狭部５７を通過できない。すなわち、後方厚肉部３３がくさびとして機能し、外被体３０の後端部のめくれ上がりが防止されることとなっている。
【００４８】
さらに、外被体３０先端部の前方厚肉部３２は、軸筒２０と、固定部材４０としての前方止めリング４３との間に形成される空間のうち、より遠位の先端側で幅広の前方幅広部５１に位置している。一方、外被体３０先端部の前方薄肉部３５は、軸筒２０と前方止めリング４３との間に形成される空間のうち、より近位の後端側で幅狭の前方幅狭部５６に位置している。すなわち、外被体３０の先端部に後方への力が架かったとしても、前方厚肉部３２は前方幅狭部５６を通過できない。すなわち、前方厚肉部３２がくさびとして機能し、外被体３０の先端部のめくれ上がりが防止されることとなっている。
【００４９】
また、前方固定突起２２の先端側の面はテーパー面２２ａとなっているため、前記第１の実施で述べたように、外被体３０を軸筒２０の先端側から装着することが容易となっている。
さらに、外被体３０の前方厚肉部３２外側には、先端方向に縮径するテーパー面３２ａが設けられている。同時に、このテーパー面３２ａと接触する位置にある、固定部材４０としての前方止めリング４３内側にも先端方向に縮径するテーパー面４１ａが設けられている。すなわち、外被体３０と、固定部材４０としての前方止めリング４３との接触部が互いにテーパー面３２ａ，４１ａとなっているので、外被体３０が固定部材４０としての前方止めリング４３の装着の際に潰されないこととなっている。
【００５０】
（３）第３の実施の形態
図１１は、本発明の第３の実施の形態に係る筆記具１０の前半部分を正面断面図で示したものである。
この筆記具１０は、前半部分を構成する軸筒２０と、後半部分を構成する後軸４２とを備えるのは前記第１及び第２の実施の形態と同様である。また、図示しない筆記具１０後端の消しゴム１１及びノックカバー１２についても、並びに、軸筒２０の固定突起２１の構造並びに軸筒２０を覆う外被体３０の構造についても前記第１及び第２の実施の形態と同様である。さらに、軸筒２０と外被体３０との間に封入されるゲル状物質１４についても同様である。本第３の実施の形態が前記第１及び第２の実施の形態と相違する点は、外被体３０の両端を固定する固定部材４０が、いずれも環状の部材として設けられていることである。
【００５１】
すなわち、軸筒２０の先端には、外被体３０の先端部を固定する固定部材４０としての前方止めリング４３が固着される。口金４１は、この前方止めリング４３に螺着されることで、間接的に軸筒２０に固定される。同様に、軸筒２０の後端には、外被体３０の後端部を固定する環状の固定部材４０としての後方止めリング４４が固着されている。後軸４２は、この後方止めリング４４に螺着されることで、間接的に軸筒２０に固定される。
【００５２】
本実施の形態では、外被体３０後端部の後方厚肉部３３は、軸筒２０と、固定部材４０としての後方止めリング４４との間に形成される空間のうち、より遠位の後端側で幅広の後方幅広部５２に位置している。一方、外被体３０後端部の後方薄肉部３６は、軸筒２０と後方止めリング４４との間に形成される空間のうち、より近位の先端側で幅狭の後方幅狭部５７に位置している。すなわち、外被体３０の後端部に前方への力が架かったとしても、後方厚肉部３３は後方幅狭部５７を通過できない。すなわち、後方厚肉部３３がくさびとして機能し、外被体３０の後端部のめくれ上がりが防止されることとなっている。
【００５３】
さらに、外被体３０先端部の前方厚肉部３２は、軸筒２０と、固定部材４０としての前方止めリング４３との間に形成される空間のうち、より遠位の先端側で幅広の前方幅広部５１に位置している。一方、外被体３０先端部の前方薄肉部３５は、軸筒２０と前方止めリング４３との間に形成される空間のうち、より近位の後端側で幅狭の前方幅狭部５６に位置している。すなわち、外被体３０の先端部に後方への力が架かったとしても、前方厚肉部３２は前方幅狭部５６を通過できない。すなわち、前方厚肉部３２がくさびとして機能し、外被体３０の先端部のめくれ上がりが防止されることとなっている。
【００５４】
また、前方固定突起２２の先端側の面はテーパー面２２ａとなっているため、前記第１の実施で述べたように、外被体３０を軸筒２０の先端側から装着することが容易となっている。
さらに、外被体３０の前方厚肉部３２外側には、先端方向に縮径するテーパー面３２ａが設けられている。同時に、このテーパー面３２ａと接触する位置にある、固定部材４０としての前方止めリング４３内側にも先端方向に縮径するテーパー面４１ａが設けられている。すなわち、外被体３０と、固定部材４０としての前方止めリング４３との接触部が互いにテーパー面３２ａ，４１ａとなっているので、外被体３０が固定部材４０としての前方止めリング４３の装着の際に潰されないこととなっている。
【００５５】
【発明の効果】
本発明は、上記の通り構成されているので、以下に記す効果を奏する。
すなわち、本発明のうちの、第１の発明によると、外被体を部材間で圧接することなく、外被体のめくれ上がりを効果的に防止することで、快適な把持感を長期的に持続し得る筆記具の提供が可能となる。
【００５６】
また、本発明のうちの、第２の発明によると、第１の発明の効果に加え、被体のめくれ上がりをその両端で防止することが可能となる。
さらに、本発明のうちの、第３の発明によると、第１又は第２の発明の効果に加え、外被体と軸筒との固定の確実を期することができる。
また、本発明のうちの、第４の発明によると、第３の発明の効果に加え、外被体と軸筒との密着を図ることが可能となる。
【００５７】
さらに、本発明のうちの、第５の発明によると、第４の発明の効果に加え、外被体が軸筒に対して回転するのを確実に防止することが可能となる。
また、本発明のうちの、第６の発明によると、第３、第４又は第５の発明の効果に加え、
さらに、本発明のうちの、第７の発明によると、第１から第６までのいずれかの発明の効果に加え、軸筒への外被体の取り付けがスムーズに実行できる。
【００５８】
また、本発明のうちの、第８の発明によると、第１から第７までのいずれかの発明の効果に加え、外被体のねじれを防止することが可能となる。
さらに、本発明のうちの、第９の発明によると、第１から第８までのいずれかの発明の効果に加え、外被体を押しつぶすことなく固定することが可能となる。
また、本発明のうちの、第１０の発明によると、第１から第９までのいずれかの発明の効果に加え、筆記具使用時の疲労感の低減が可能となる。
【図面の簡単な説明】
【図１】本発明の第１の実施の形態に係る筆記具を正面断面図で示したものである。
【図２】本発明の第１の実施の形態に係る筆記具の軸筒、外被体及び後方止めリングの構造を斜視図で示したものである。なお、外被体及び後方止めリングは断面も示している。
【図３】図２に示す軸筒、外被体及び後方止めリングの組み付けの状態を斜視図で示したものである。なお、外被体及び後方止めリングは断面も示している。また、ゲル状物質は省略している。
【図４】図２に示す軸筒、外被体及び後方止めリングの組み付けの状態を正面断面図で示したものである。
【図５】図４をＡ−Ａ断面で示したものである。
【図６】図４をＢ−Ｂ断面で示したものである。
【図７】図４をＣ−Ｃ断面で示したものである。
【図８】本発明の第１の実施の形態に係る筆記具の前半部分を正面断面図で示したものである。
【図９】本発明の第１の実施の形態に係る筆記具の先端付近を正面断面図で示したものである。
【図１０】本発明の第２の実施の形態に係る筆記具の前半部分を正面断面図で示したものである。
【図１１】本発明の第３の実施の形態に係る筆記具の前半部分を正面断面図で示したものである。
【符号の説明】
１０  筆記具                １１  消しゴム
１２  ノックカバー          １３  筆記先端
１４  ゲル状物質
２０  軸筒                  ２１  固定突起
２２  前方固定突起
２２ａ    前方固定突起のテーパー面
２３  後方固定突起
３０  外被体                ３１  厚肉部
３２  前方厚肉部
３２ａ    前方厚肉部外側のテーパー面
３３  後方厚肉部            ３４  薄肉部
３５  前方薄肉部            ３６  後方薄肉部
３７  シール部              ３８  嵌凹部
４０  固定部材              ４１  口金
４１ａ    口金内側のテーパー面
４２  後軸                  ４３  前方止めリング
４４  後方止めリング        ４４ａ    前半部
４４ｂ    後半部
５０  幅広部                ５１  前方幅広部
５２  後方幅広部
５５  幅狭部
５６  前方幅狭部            ５７  後方幅狭部
６０  軸筒と外被体との間隙
【図１】
2005007585.tif 000003
【図２】
2005007585.tif 000004
【図３】
2005007585.tif 000005
【図４】
2005007585.tif 000006
【図５】
2005007585.tif 000007
【図６】
2005007585.tif 000008
【図７】
2005007585.tif 000009
【図８】
2005007585.tif 000010
【図９】
2005007585.tif 000011
【図１０】
2005007585.tif 000012
【図１１】
2005007585.tif 000013